(57)【要約】【課題】  書類、その他の被収納物を収納して郵送、発送等するための封筒に関し、封緘片の封筒本体に対する密着性を向上させ、封筒本体からの封緘片の剥離をより確実に防止することができ、しかも、封緘片と封筒本体との間に極力隙間が生じないようにし、密封性を高めることができるような封筒を提供することを課題とする。【解決手段】  封筒本体１が、開口部２を形成すべく表片１ａ及び裏片１ｂにて袋状に形成され、且つ前記表片１ａ及び裏片１ｂのうち、いずれか一方を他方より前記開口部２から延長して封緘片３が形成され、前記封緘片３又は該封緘片３と対面する封筒本体１の少なくともいずれか一方に感圧性の接着剤４が設けられた封筒において、前記接着剤４は、前記封緘片３の先端側に設けられた先端側接着部４ａと、前記封緘片３の根元側に設けられた根元側接着部４ｂとを有して構成されていることを特徴とする。【選択図】  図２
2007112494.tif 000002
【特許請求の範囲】
【請求項１】
封筒本体（１）が、開口部（２）を形成すべく表片（１ａ）及び裏片（１ｂ）にて袋状に形成され、且つ前記表片（１ａ）及び裏片（１ｂ）のうち、いずれか一方を他方より前記開口部（２）から延長して封緘片（３）が形成され、前記封緘片（３）又は該封緘片（３）と対面する封筒本体（１）の少なくともいずれか一方に感圧性の接着剤（４）が設けられた封筒において、前記接着剤（４）は、前記封緘片（３）の先端側に設けられた先端側接着部（４ａ）と、前記封緘片（３）の根元側に設けられた根元側接着部（４ｂ）とを有して構成されていることを特徴とする封筒。
【請求項２】
根元側接着部（４ｂ）が、先端側接着部（４ａ）の両端部側から開口部（２）の端縁（２ａ）に向かって配向するように設けられている請求項１記載の封筒。
【請求項３】
接着剤（４）が略コ字状に配設されている請求項１又は２記載の封筒。
【請求項４】
封緘片（３）と封筒本体（１）との境界線部分と、根元側接着部（４ｂ）との間に非接着部（９）が設けられている請求項１又は２記載の封筒。
【発明の詳細な説明】
【技術分野】
【０００１】
本発明は、書類、その他の被収納物を収納して郵送、発送等するための封筒に関する。
【背景技術】
【０００２】
周知のように、封筒は、書類、その他の被収納物を収納して郵送等するものとして古くから使用されている。近年では被収納物の多様化や、親展用、ダイレクト用等の使用目的の多様化に伴い、形態や印刷等の表示も多様化し、また近年では郵便局以外の民間業者も封筒を用いた発送業務等を行なっている。しかし、いずれにしても、使用される封筒の基本的形態は概ね共通するものである。
【０００３】
すなわち、ごく一般的な形態の封筒は、図１９又は図２０に示すように、封筒本体１ｃが、上部に開口部２ｄを形成すべく表片１ｄ及び裏片１ｅにて袋状に形成され、且つ表片１ｄ及び裏片１ｅのうち、いずれか一方を他方より前記開口部２ｄの上部に延長して封緘片３ｄが形成された構成からなるものである。
【０００４】
そして、被収納物を封入する必要があることから、上記封緘片３ｄや、該封緘片３ｄと対面する封筒本体１ｃ側に接着剤４ｄが設けられている。図１９、図２０に示す例では、封緘片３ｄ側と封筒本体１ｃ側との双方に接着剤４ｄが設けられているが、一般には封緘片側又は封筒本体側のいずれか一方に接着剤が設けられている場合が多い。
【０００５】
たとえば、下記特許文献１の図１や図２では、封緘片側に接着剤が設けられおり、
特許文献２の図１や特許文献３の図１では、封筒本体側に接着剤が設けられている。
そして、接着剤が封緘片側と封筒本体側の双方或いはいずれか一方に設けられているいずれの場合であっても、通常、接着剤は封筒本体の開口端縁が形成されている方向に沿って設けられている。
【０００６】
【特許文献１】実開平４−４５２３３号公報
【特許文献２】特開平１０−２１８１９６号公報
【特許文献３】実用新案登録第３０１０２６０号公報
【０００７】
しかしながら、その接着剤は、封筒本体の開口端縁から所定寸法離間した位置に設けられているので、接着剤を介して封緘片が封筒本体に接着された状態において、封緘片の根元部に近い部分、すなわち封緘片と封筒本体との境界線に近い部分においては、接着されていない部分が必然的に生ずることとなる。従って、封緘後における封緘片の封筒本体に対する密着性が完全ではなく、封緘片が封筒本体から不用意に剥離するおそれを完全には解消できなかった。さらに、上記のように封緘片の根元部に近い部分に接着されていない部分が存在するので、封緘片と封筒本体との間に隙間が生じ易く、封筒の密封性が損なわれるおそれがあった。
また、このように密封性が損なわれる結果、上記のような隙間から異物等が不用意に侵入し、或いは封入物が小さいものである場合には、その封入物が不用意に脱落するおそれがあった。
【発明の開示】
【発明が解決しようとする課題】
【０００８】
本発明は、上記のような問題点を解決するためになされたもので、封緘片の封筒本体に対する密着性を向上させ、封筒本体からの封緘片の剥離をより確実に防止することができ、しかも、封緘片と封筒本体との間に極力隙間が生じないようにし、密封性を高めることができるような封筒を提供することを課題とする。
【課題を解決するための手段】
【０００９】
本発明は、このような課題を解決するためになされたもので、請求項１記載の発明は、封筒本体１が、開口部２を形成すべく表片１ａ及び裏片１ｂにて袋状に形成され、且つ前記表片１ａ及び裏片１ｂのうち、いずれか一方を他方より前記開口部２から延長して封緘片３が形成され、前記封緘片３又は該封緘片３と対面する封筒本体１の少なくともいずれか一方に感圧性の接着剤４が設けられた封筒において、
前記接着剤４は、前記封緘片３の先端側に設けられた先端側接着部４ａと、前記封緘片３の根元側に設けられた根元側接着部４ｂとを有して構成されていることを特徴とする。
【００１０】
また請求項２記載の発明は、請求項１記載の封筒において、根元側接着部４ｂが、先端側接着部４ａの両端部側から開口部２の端縁２ａに向かって配向するように設けられていることを特徴とする。さらに請求項３記載の発明は、請求項１又は２記載の封筒において、接着剤４が略コ字状に配設されていることを特徴とする。さらに請求項４記載の発明は、請求項１乃至３のいずれかに記載の封筒において、封緘片３と封筒本体１の境界線部分と、根元側接着部４ｂとの間に非接着部９が設けられていることを特徴とする。
【発明の効果】
【００１１】
本発明の封筒は、上述のように、封緘片又は該封緘片と対面する封筒本体の少なくともいずれか一方に設けられた接着剤が、封緘片の先端側に設けられた先端側接着部と、前記封緘片の根元側に設けられた根元側接着部とを有して構成されているものであるため、封緘片の先端側と根元側との双方で封止されることとなり、封緘片の封筒本体に対する密着性が良好となり、封筒本体からの封緘片の剥離が確実に防止され、しかも封緘片と封筒本体との間にほとんど隙間が生じるおそれがなく、封筒の密封性を著しく高めることができるという効果がある。
【００１２】
また、接着剤が略コ字状に配設されている等、根元側接着部が、先端側接着部の両端部側から開口部の端縁に向かって配向するように設けられている場合には、接着剤の先端側接着部と開口部の端縁との間に接着剤が設けられていない非接着部のスペースがある程度確保されるので、封筒本体内に被収納物を収納する際に接着剤が被収納物に不用意に付着することもないという効果がある。
【００１３】
さらに、配向部と開口部の端縁との間に非接着部が設けられている場合には、接着剤の塗着過程において封筒本体内に接着剤が不用意に入り込むこともないという効果がある。
【発明を実施するための最良の形態】
【００１４】
以下、本発明の実施形態について、図面に従って説明する。
【００１５】
（実施形態１）
本実施形態の封筒は、図１及び図２に示すように、封筒本体１が、上部に開口部２を形成すべく紙製の表片１ａ及び裏片１ｂにて袋状に形成され、且つ前記開口部２から表片１ａの上部を裏片１ｂの上部より延長して封緘片３が形成された構成からなる。
【００１６】
このように封筒本体１が袋状に形成される構造は、図３の展開図によってより詳細に示される。すなわち、図３に示すように、前記表片１ａは１枚の紙製シートからなるが、裏片１ｂは、該表片１ａに対して左右に連設された１対の裏片形成片５ａ、５ｂからなる。そして、一方の裏片形成片５ａ（本実施形態では表片１ａに対して左側の裏片形成片）は、他方の裏片形成片５ｂ（本実施形態では表片１ａに対して右側の裏片形成片）よりも大きな面積となるように形成されている。
【００１７】
従って、裏片１ｂが形成されるべく、一方の裏片形成片５ａが他方の裏片形成片５ｂに重ね合わせて接着された状態においては、図２に示すように、重ね合わせ部６は中央よりも左に偏った位置、より詳しくは左側の側縁に近い位置に形成されることとなる。尚、図２には図示しないが、この重ね合わせ部６では、接着剤を介して一方の裏片形成片５ａと他方の裏片形成片５ｂとが接着されている。
【００１８】
さらに、表片１ａに対して下側、すなわち封緘片３が連設されている側と反対側には、底部折り返し片７が連設されている。そして、この底部折り返し片７は、前記１対の裏片形成片５ａ、５ｂが表片１ａに対して折り返された後に、その外側から折り返されて前記１対の裏片形成片５ａ、５ｂに跨がるように接着される。
【００１９】
さらに、前記封緘片３、及び該封緘片３と対面する封筒本体１の部分に、それぞれ感圧性の接着剤４が設けられている。この接着剤４は、図２に示すように、前記封緘片３の先端側の横方向に設けられた先端側接着部４ａと、該先端側接着部４ａの両端部側から開口部２の端縁２ａに向かって、すなわち封緘片３の根元側に向かって配向して形成された根元側接着部４ｂとからなり、全体が略コ字状に形成されている。この根元側接着部４ｂは封緘片３の根元部、すなわち封緘片３と封筒本体１の境界線部分１３（開口部２の端縁２ａに近い位置）にまでは至っておらず、その手前側が根元側接着部４ｂの終端部となっている。従って、該根元側接着部４ｂと前記境界線部分との間には、わずかなスペースの非接着部９が設けられている。
また、根元側接着部４ｂの内側の側縁１１は、前記封緘片３と封筒本体１の境界線部分１３に対して直交する方向に形成されているが、根元側接着部４ｂの外側の側縁１２は、前記封緘片３と封筒本体１の境界線部分１３に対して直交方向からやや斜めに傾くように形成されている。この結果、封緘片３側に設けられている根元側接着部４ｂの外側の側縁１２は、封緘片３の側縁と略平行に形成されている。
【００２０】
封緘片３の先端側の横方向に設けられた接着剤４の先端側接着部４ａは、前記開口部２の端縁２ａから一定寸法隔てた位置に配置されており、その先端側接着部４ａと開口部２の端縁２ａとの間は、封緘片３の封緘時においても接着されることのない非接着部８として形成されることとなる。
【００２１】
尚、図２には示していないが、接着剤４の上面には、必要に応じて剥離シートが設けられることとなる。
【００２２】
本実施形態の封筒は上述のような構成からなり、この封筒を使用する場合には、一般の封筒と同様に封筒本体１の内部、すなわち表片１ａと裏片１ｂ間に被収納物（図示せず）を収納し、その後に封緘片３を封筒本体１の裏片１ｂ側に折り返し、該封緘片３と封筒本体１の裏片１ｂ側にそれぞれ設けられた接着剤４、４を介して
封緘片３を封筒本体１の裏片１ｂ側に接着する。
【００２３】
この場合において、接着剤４の先端側接着部４ａは、開口部２の端縁２ａから一定寸法隔てた位置に配置されており、その先端側接着部４ａと開口部２の端縁２ａとの間が非接着部８として形成されている点で一般の封筒と同様であるが、本実施形態においては、その先端側接着部４ａの両端部側からさらに開口部２の端縁２ａに向かって該開口部２の端縁２ａが形成されている方向とほぼ直交する方向に根元側接着部４ｂが形成されているので、少なくとも先端側接着部４ａの両端部側においては、接着剤４が封緘片３の根元部すなわち封緘片３と封筒本体１の境界線部分１３に近い位置まで接着剤が設けられていることななる。
【００２４】
従って、上記のように先端側接着部４ａと開口部２の端縁２ａとの間が非接着部８が存在するにもかかわらず、先端側接着部４ａの両端部側に開口部２の端縁２ａに向かう根元側接着部４ｂが形成されて、その部分では非接着部９のスペースが非常に小さいので、封緘片３の封筒本体１に対する密着性が著しく向上し、封筒本体１からの封緘片３の剥離が確実に防止されることとなるのである。
しかも、先端側接着部４ａと根元側接着部４ｂの双方で封止されることとなるので、封緘片３と封筒本体１との間にほとんど隙間が生じるおそれがなく、封筒の密封性を著しく高めることができる。特に、本実施形態では、接着剤４が略コ字状に配設され、接着剤４の根元側接着部４ｂが、先端側接着部４ａの両端部側から開口部２の端縁２ａに向かって配向するように設けられているので、封緘片３の側縁側からの異物等の侵入も好適に防止されることとなる。また封入物が小さいものである場合には、その封入物が不用意に脱落するおそれがあった。
【００２５】
（実施形態２）
本実施形態では、図４に示すように、接着剤４の根元側接着部４ｂが、封緘片３と封筒本体１の境界線部分１３（開口部２の端縁２ａに近い）まで至るように設けられており、この点で、根元側接着部４ｂが境界線部分１３にまでは至っておらず、根元側接着部４ｂと境界線部分１３との間にわずかなスペースの非接着部９が設けられていた上記実施形態１の場合と相違する。
【００２６】
本実施形態においては、接着剤４の根元側接着部４ｂが上記境界線部分まで至るように設けられているので、封緘片３の封筒本体１に対する密着性や密封性が上記実施形態１よりもさらに良好となる。その反面、接着剤４の塗着過程において接着剤４が封筒本体１の内部にまで不要に入り込むおそれもあり、この観点からは、上記実施形態１のようにわずかなスペースの非接着部９を設けておくことが望ましい。その他の構成は上記実施形態１と共通するため、その説明は省略する。
【００２７】
（実施形態３）
本実施形態では、図５に示すように、根元側接着部４ｂの内側の側縁１１のみならず、外側の側縁１２も封緘片３と封筒本体１の境界線部分１３に対して直交する方向に形成されており、その点で、根元側接着部４ｂの外側の側縁１２が、前記封緘片３と封筒本体１の境界線部分１３に対して直交する方向からわずかに斜めに傾くように形成されていた上記実施形態１の場合と相違する。
【００２８】
本実施形態においても、接着剤４が略コ字状に配設されて接着剤４の根元側接着部４ｂが、先端側接着部４ａの両端部側から開口部２の端縁２ａに向かって配向するように設けられているので、先端側接着部４ａと根元側接着部４ｂの双方で封止され、封筒の密封性、密着性を著しく高めることができる。
ただし、本実施形態では根元側接着部４ｂの外側の側縁１２が封緘片３と封筒本体１の境界線部分１３に対して直交する方向に形成されているのに対して、上記実施形態１では、根元側接着部４ｂの外側の側縁１２が封緘片３と封筒本体１の境界線部分１３に対して直交方向からややに斜めに傾くように形成されて、封緘片３の側縁と略平行に形成され、その結果、封緘片３の側縁に近い位置まで根元側接着部４ｂが設けられているので、その分、本実施形態に比べると上記実施形態１の方が密封性、密着性ともに良好となる。
その他の構成は上記実施形態１と共通するため、その説明は省略する。
【００２９】
（実施形態４）
本実施形態では、図６に示すように、接着剤４の根元側接着部４ｂが、封緘片３と封筒本体１の境界線部分１３まで至るように設けられており、この点で、根元側接着部４ｂが境界線部分１３にまでは至っておらず、根元側接着部４ｂと境界線部分１３との間にわずかなスペースの非接着部９が設けられていた上記実施形態３の場合と相違する。
この実施形態４と上記実施形態３との相違点は、上記実施形態１と実施形態２との相違点と同じである。
【００３０】
（実施形態５）
本実施形態は、先端側接着部４ａと根元側接着部４ｂとの配置態様が上記実施形態４と同じであるが、この先端側接着部４ａと根元側接着部４ｂ以外に、図７に示すように島状接着部４ｃが非接着部８の部分に設けられており、この点で上記実施形態４と相違する。
【００３１】
本実施形態では、このような島状接着部４ｃがさらに設けられていることで、実施形態４に比べて封緘片３の封筒本体１に対する密着性が良好となるが、島状接着部４ｃを設けることで接着剤の塗着作業がやや煩雑となる。その他の構成は上記実施形態４と共通するため、その説明は省略する。
【００３２】
（実施形態６）
本実施形態は、図８に示すように、島状接着部４ｃが根元側接着部４ｂに連続して設けられており、この点で島状接着部４ｃと根元側接着部４ｂとが離間して設けられていた上記実施形態５の場合と相違する。その他の構成は上記実施形態５と共通するため、その説明は省略する。
【００３３】
（実施形態７）
本実施形態は、図９に示すように根元側接着部４ｂの内側の側縁１１と外側の側縁１２とが、ともに封緘片３と封筒本体１の境界線部分１３に対して直交方向からやや斜めに傾くように形成されており、この点で根元側接着部４ｂの外側の側縁１２のみがやや斜めに形成され、内側の側縁１１が直交方向に形成されていた実施形態１の場合と相違する。
【００３４】
本実施形態においても、接着剤４の根元側接着部４ｂが、先端側接着部４ａの両端部側から開口部２の端縁２ａに向かって配向するように設けられているので、先端側接着部４ａと根元側接着部４ｂの双方で封止され、封筒の密封性、密着性を著しく高めることができる。
ただし、本実施形態では根元側接着部４ｂの外側の側縁１２のみならず内側の側縁１１も前記境界線部分１３に対してやや斜めに形成されているのに対して、上記実施形態１では、根元側接着部４ｂの内側の側縁１１が前記境界線部分１３に対して直交方向に形成されて、根元側接着部４ｂの接着面積が広くなっているので、その分、本実施形態に比べると上記実施形態１の方が密封性、密着性ともに良好となる。その他の構成は上記実施形態１と共通するため、その説明は省略する。
【００３５】
（実施形態８）
本実施形態は、図１０に示すように、根元側接着部４ｂが封緘片３と封筒本体１の境界線部分に対してやや斜めに設けられている点で上記実施形態７と共通するが、同図のように根元側接着部４ｂが境界線部分にまでは至っておらず、根元側接着部４ｂと境界線部分との間にわずかなスペースの非接着部９が設けられている実施形態７の場合と相違する。その他の構成は上記実施形態７と共通するため、その説明は省略する。
【００３６】
（実施形態９）
本実施形態は、図１１に示すように、裏片１ｂを構成する１対の裏片形成片５ａ、５ｂの重ね合わせ部６が、該裏片１ｂの略中央に位置しており、この点で左右の偏った位置に重ね合わせ部６が設けられていた上記各実施形態の場合と相違する。接着剤４の配置態様は上記実施形態３と同じであり、その説明は省略する。
【００３７】
（その他の実施形態）
尚、接着剤４の配置態様は上記各実施形態に限定されるものではなく、従って全体の形状も、上記各実施形態のように略コ字状等、先端側接着部４ａの両端部側から開口部２の端縁２ａに向かって配向するように根元側接着部４ｂが設けられたようなものに限定されるものではない。要は、封緘片３の先端側に設けられた先端側接着部４ａと、封緘片３の根元側に設けられた根元側接着部４ｂとを有して接着剤４が構成されていればよいのである。
【００３８】
たとえば、図１２に示すように、先端側接着部４ａから離間して前記境界線部分１３に沿って根元側接着部４ｂが設けられていてもよい。この場合、同図のように
境界線部分１３を介して封筒本体１側から封緘片３側に跨がるように根元側接着部４ｂが設けられていてもよく、また図１３に示すように、境界線部分１３からわずかに離間して封筒本体１側と封緘片３側とにそれぞれ根元側接着部４ｂが設けられていてもよい。
【００３９】
また上記各実施形態では、接着剤４が封緘片３側とこれに対面する封筒本体１側の双方に設けられていたが、これに限らず、封緘片３側と封筒本体１側のいずれか一方のみに設けられていてもよい。
【００４０】
さらに、封筒本体１の構成も上記各実施形態に限定されるものではない。従って、たとえば封筒本体１を展開した状態も上記図３に示すようなものに限定されず、裏片１ｂを構成する１対の裏片形成片５ａ、５ｂの大きさや形状も適宜設計変更可能である。
【００４１】
たとえば、図１４乃至図１６に示すように、裏片形成片５ｂが裏片形成片５ａよりも大きくなるように形成されていてもよい。この場合には、上記実施形態１乃至８とは逆に、重ね合わせ部６が封筒本体１の右側の側縁に位置することとなる。また、図１４乃至図１６の実施形態では、図１乃至図１３の封筒に比べて細長く形成されている。
【００４２】
さらに、上記各実施形態では、封筒本体１が縦長に形成されたいわゆる和封筒に適用する場合について説明したが、これに限らず、図１７及び図１８に示すような横長に形成されたいわゆる洋封筒に適用することも可能である。
【００４３】
また、上記各実施形態においては、開口部２が封筒本体１の上部に形成されていたが、開口部２の位置も封筒本体１の上部に限らず、封筒本体１の側部や底部に開口部２が形成されていてもよい。
【００４４】
さらに、上記各実施形態では、封筒本体１の表片１ａを裏片１ｂより延長して封緘片３が形成されていたが、これとは逆に裏片１ｂを表片１ａより延長して封緘片３が形成されていてもよい。
【００４５】
さらに、必要に応じて、開封を容易にするためのミシン目を、封緘片３またはこれに対面する封筒本体１側に形成することも可能である。
【図面の簡単な説明】
【００４６】
【図１】一実施形態としての封筒の正面図。
【図２】同背面図。
【図３】同展開状態を示す正面図。
【図４】他実施形態の封筒の背面図。
【図５】他実施形態の封筒の背面図。
【図６】他実施形態の封筒の背面図。
【図７】他実施形態の封筒の背面図。
【図８】他実施形態の封筒の背面図。
【図９】他実施形態の封筒の背面図。
【図１０】他実施形態の封筒の背面図。
【図１１】他実施形態の封筒の背面図。
【図１２】他実施形態の封筒の背面図。
【図１３】他実施形態の封筒の背面図。
【図１４】他実施形態の封筒の背面図。
【図１５】他実施形態の封筒の背面図。
【図１６】他実施形態の封筒の背面図。
【図１７】他実施形態の封筒の背面図。
【図１８】他実施形態の封筒の背面図。
【図１９】従来の封筒の背面図。
【図２０】従来の封筒の背面図。
【符号の説明】
【００４７】
１…封筒本体              ２…開口部
２ａ…端縁                ３…封緘片
４…接着剤                ４ａ…先端側接着部
４ｂ…根元側接着部        ９…非接着部
【図１】
2007112494.tif 000003
【図２】
2007112494.tif 000004
【図３】
2007112494.tif 000005
【図４】
2007112494.tif 000006
【図５】
2007112494.tif 000007
【図６】
2007112494.tif 000008
【図７】
2007112494.tif 000009
【図８】
2007112494.tif 000010
【図９】
2007112494.tif 000011
【図１０】
2007112494.tif 000012
【図１１】
2007112494.tif 000013
【図１２】
2007112494.tif 000014
【図１３】
2007112494.tif 000015
【図１４】
2007112494.tif 000016
【図１５】
2007112494.tif 000017
【図１６】
2007112494.tif 000018
【図１７】
2007112494.tif 000019
【図１８】
2007112494.tif 000020
【図１９】
2007112494.tif 000021
【図２０】
2007112494.tif 000022